(57)【特許請求の範囲】
【請求項１】
賞球遊技機（２）からメーカー毎に異なる型式で出力される賞球実績等のＯＮ／ＯＦＦの電気信号が中継基板（４）を介して島コンピュータ（７ａ）やホールコンピュータ（７ｂ）等のコンピュータに読み込み可能に処理される賞球実績等の信号を蓄積すると共に、該蓄積した賞球遊技機（２）の賞球実績等の信号を、前記島コンピュータ（７ａ）やホールコンピュータ（７ｂ）等のコンピュータで処理及び管理できる型式の信号に処理して島コンピュータ（７ａ）やホールコンピュータ（７ｂ）等のコンピュータに出力する信号読取処理装置（５）において、該信号読取処理装置（５）が、各メーカーの賞球遊技機（２）毎の大当たりの開始から終了までを時系列で比較できる型式の情報データ又は各メーカーの賞球遊技機（２）毎の確変の開始から終了までを時系列で比較できる型式の情報データの少なくとも何れか一方を、前記島コンピュータ（７ａ）やホールコンピュータ（７ｂ）等のコンピュータを介して日々の業務実績データ処理等が行なわれる前に、該島コンピュータ（７ａ）やホールコンピュータ（７ｂ）等のコンピュータに出力可能な構成にしてなることを特徴とする信号読取処理装置。
【請求項２】
前記信号読取処理装置（５）が、中継基板（４）を介して得られる賞球遊技機（２）の賞球実績等の信号を蓄積しつつ、該中継基板（４）にメーカー毎に異なる型式で賞球遊技機（２）から入力される賞球実績等のＯＮ／ＯＦＦの電気信号と同一の賞球実績等のＯＮ／ＯＦＦの電気信号を出力可能な構成にしてなることを特徴とする請求項１記載の信号読取処理装置。
【請求項３】
前記信号読取処理装置（５）が、打玉の連続発射が所定時間中断された情報データを島コンピュータ（７ａ）やホールコンピュータ（７ｂ）等のコンピュータに出力可能な構成にしてなることを特徴とする請求項１又は２記載の信号読取処理装置。
【発明の詳細な説明】
【０００１】
【発明の属する技術分野】
本発明は、賞球実績等のＯＮ／ＯＦＦの電気信号をメーカー毎に異なる型式で出力する各賞球遊技機と、日々の業務実績データ処理等を行う島コンピュータやホールコンピュータ等のコンピュータとの間に用いられる信号読取処理装置に関するものである。
【０００２】
【従来の技術】
従来、賞球遊技機は、図６（イ）に示す様に、予め各種の賞球パターン等の遊技内容が書き込まれたＲＯＭ等を具備した賞球基板１５によってプレーヤーが楽しく遊べるような工夫がなされ、しかも該賞球遊技機１６は、賞球遊技機製造メーカーの大小を問わず全て賞球実績等を電圧レベル等のＯＮ／ＯＦＦの電気信号で出力可能な構造を有してなるものである。
【０００３】
即ち、同図（ロ）及び（ハ）に示すように、係る構造を有した各賞球遊技機１６の夫々には、前記電気信号を複数の賞球遊技機１６を島単位で管理する島コンピュータ１８ａや店舗内に設置された店舗管理（ホール）コンピュータ１８ｂを用いた遊技機管理装置１８に送り込むべく出力可能な中継基板１７が設けられている。
【０００４】
従って、前記中継基板１７を介して各賞球遊技機１６から出力される賞球実績等のＯＮ／ＯＦＦの電気信号をコンピュータが読み込み可能に処理した賞球実績等の信号を遊技機管理装置１８を介して管理することにより、例えば、現時点（処理時間に若干の遅れ有）のみならず週間や月間等における店の利益や売上等の確認や予想を行ったり、又日々の業務実績データとしても残すことが出来るというものである。
【０００５】
【発明が解決しようとする課題】
しかしながら、上記構成からなる賞球遊技機においては、下記の様な問題点があった。
【０００６】
即ち、賞球遊技機は、風俗営業法や厳しい賞球遊技機の検定規格等により、一旦検定に合格した賞球遊技機に改造を施すことは一切許されない。
【０００７】
しかしながら、近年、その検定合格後の賞球遊技機に、不法侵入者や不正を働く者が、閉店後や営業時間中にＲＯＭの入れ替えや改ざん等の各種不正行為を、一つの遊技場で多数の賞球遊技機に対して行うという極めて悪質な不正行為が巧妙に行われているのが現状である。
【０００８】
よって、例えＲＯＭ入れ替えや改ざん等の不正行為が行われた場合であっても、賞球遊技機に一切改造を施すことなく不正が行われた賞球遊技機を多数の賞球遊技機の中から即時特定して犯罪を未然に防止するための解決策が望まれていた。
【０００９】
本発明は上記問題を解決するものであり、例え賞球遊技機にＲＯＭ入れ替えや改ざん等の不正行為が行われた場合であっても、賞球遊技機に一切改造を施すことなく不正行為が行われた賞球遊技機を多数の賞球遊技機の中から即時特定して犯罪を未然に防止することが出来るという極めて優れた信号読取処理装置を提供することを課題とするものである。
【００１０】
【課題を解決するための手段】
本発明は、上記課題を解決するために全く新しい信号読取処理装置を開発し、以下の手段を講じたものである。
【００１１】
即ち、本発明における信号読取処理は、賞球遊技機２からメーカー毎に異なる型式で出力される賞球実績等のＯＮ／ＯＦＦの電気信号が中継基板４を介して島コンピュータ７ａやホールコンピュータ７ｂ等のコンピュータに読み込み可能に処理される賞球実績等の信号を蓄積すると共に、該蓄積した賞球遊技機２の賞球実績等の信号を、前記島コンピュータ７ａやホールコンピュータ７ｂ等のコンピュータで処理及び管理できる型式の信号に処理して島コンピュータ７ａやホールコンピュータ７ｂ等のコンピュータに出力する信号読取処理装置５において、該信号読取処理装置５が、各メーカーの賞球遊技機２毎の大当たりの開始から終了までを時系列で比較できる型式の情報データ又は各メーカーの賞球遊技機２毎の確変の開始から終了までを時系列で比較できる型式の情報データの少なくとも何れか一方を、前記島コンピュータ７ａやホールコンピュータ７ｂ等のコンピュータを介して日々の業務実績データ処理等が行なわれる前に、該島コンピュータ７ａやホールコンピュータ７ｂ等のコンピュータに出力可能な点にある。
【００１２】
更に、前記信号読取処理装置５が、中継基板４を介して得られる賞球遊技機２の賞球実績等の信号を蓄積しつつ、該中継基板４にメーカー毎に異なる型式で賞球遊技機２から入力される賞球実績等のＯＮ／ＯＦＦの電気信号と同一の賞球実績等のＯＮ／ＯＦＦの電気信号を出力可能な構成にしてなるものである。
【００１３】
尚、上記信号読取処理装置５は、賞球遊技機２で得られる遊技情報に関する電気信号の一部又は全部を読み取り可能で、且つ賞球遊技機２に大当たりが生じた際、その大当たりに至るまでの間に打玉の連続発射が所定時間中断された情報データの一部又は全部を時系列管理する機能を備え、且つ信号読取処理装置５の夫々が、大当たりに至るまでの間に打玉の連続発射が所定時間中断された情報データの一部又は全部を信号伝達手段又は通信手段を介して時系列で比較する機能も有してなることから、前記賞球遊技機２からメーカー毎に異なる型式で出力される賞球実績等のＯＮ／ＯＦＦの電気信号を各メーカーの賞球遊技機２毎の大当たりの開始から終了までを時系列で比較できる型式の情報データ又は各メーカーの賞球遊技機２毎の確変の開始から終了までを時系列で比較できる型式の情報データの少なくとも何れか一方と、前記大当たりに至るまでの間に打玉の連続発射が所定時間中断された情報データの一部又は全部を夫々時系列で比較することが可能となる。
【００１４】
よって、各メーカーの賞球遊技機２毎の大当たりの開始から終了までを時系列で比較できる型式の情報データ又は各メーカーの賞球遊技機２毎の確変の開始から終了までを時系列で比較できる型式の情報データの少なくとも何れか一方を比較すると共に、大当たりに至るまでの間に打玉の連続発射が所定時間中断された情報データの一部又は全部を時系列管理して比較することで、例えば、店舗内に配置された多数の賞球遊技機２の中で、上記各メーカーの賞球遊技機２が夫々比較しうる型式となった大当たりの開始から終了までの情報データ又は／及び確変の開始から終了までの情報データ並びに大当たりに至るまでの間に打玉の連続発射が所定時間中断された情報データを介して同一又は類似と思われる情報データを有する賞球遊技機２が少なくとも２基以上あった場合には、ある図柄が出た後、打玉の連続発射を所定時間中断する等の所定の条件により大当たりを出すべく作動するＲＯＭが前記２基以上の賞球遊技機２に入れ替えられたり、改ざんされた恐れがあると判断出来ることとなる。
【００１５】
即ち、一般的にＲＯＭの入れ替えや改ざんは、１台の賞球遊技機２に施されることはなく、少なくとも複数台の賞球遊技機２に施された後、複数人の不正者によって行われるものである。（１台の賞球遊技機２では一般客が偶然にその台を選んで遊技を行う場合もあり、この場合には不正を行うことが実質不可能となる為）よって、多数の賞球遊技機２の中から、大当たりに至るまでに打玉の連続発射が所定時間中断された情報データ及び各メーカーの賞球遊技機２毎の大当たりの開始から終了までを時系列で比較できる型式の情報データ又は各メーカーの賞球遊技機２毎の確変の開始から終了までを時系列で比較できる型式の情報データの少なくとも何れか一方を介して同一又は類似の情報データを発する賞球遊技機２の夫々に不正行為が施されたのではないかという特定を容易且つ瞬時に行うことが出来るという利点がある。
【００１６】
更に、本発明の信号読取処理装置５が、所定電磁波の受信手段又は発信手段の少なくとも何れか一方を有してなる場合には、例えば対峙する各島６間において、対向状態で並設された各賞球遊技機２間で常時又は一定間隔で所定電磁波の発信・受信を、例えば、閉店時から開店時まで行うことにより、ホールへの不正侵入者等が各島６間を歩き回ったルートや特定の賞球遊技機２の前で何分間立ち止まったかという事実を電磁波を遮った箇所や遮断した時間から容易に知ることが可能となる。
【００１７】
従って、不正行為が行われた可能性のある賞球遊技機２を電気信号の出力前、即ちホールの開店前に容易に特定することが可能となり、しいてはホールに生じる損害を未然に防止することが出来るという利点がある。
【００１８】
更に、信号読取処理装置５の夫々が島コンピュータ７ａ又はホールコンピュータ７ｂの少なくとも何れか一方を介して双方向通信可能な構成にしてなる場合には、例えば、通常、数百台単位でホールに設置された各賞球遊技機２の信号読取処理装置５間の双方向通信を、一般的なホールに備えつけられた既存の設備を利用して安価且つ円滑ならしめることが出来る利点がある。
【００１９】
よって、各信号読取処理装置５の通信機能をも簡略化することが可能となり、しいては全体の設備コストを必要最少限におさえることが出来るという利点がある。
【００２０】
更に、信号読取処理装置５が、賞球遊技機２に外付けされる場合には、検定に合格した各製造メーカー毎の賞球遊技機２に何ら特別な改造等を一切施すことなく、信号読取処理装置５を各賞球遊技機２に対して後付けすることが出来る。
【００２１】
よって、現在、市場に供給されている各メーカーの賞球遊技機２の全てに信号読取処理装置５を簡単に後付け装着することが可能なだけでなく、賞球遊技機２で得られる遊技情報に関する各種の電気信号の型式や形態等が各賞球遊技機製造メーカー毎に異なっている場合でも、各賞球遊技機２から得られる電気信号の型式や形態等を一切変更することなく、信号読取処理装置５にて全ての賞球遊技機２が処理可能な共通の情報データに変換して双方向通信することも可能になるという利点がある。
【００２２】
【発明の実施の形態】
以下、本発明における信号読取処理装置の一実施形態を図面に従って説明する。
【００２３】
図１に於いて、１は信号読取処理装置が用いられる賞球遊技機の集中管理装置を示し、該集中管理装置１は、賞球遊技場内（ホール内）に対峙すべく一定間隔で複数配設された島６の両面６ａに賞球基板３を有して一定間隔で並設された同一メーカー製の賞球遊技機（パチンコ台）２と、各賞球遊技機２を島単位で管理すべく島６毎に設けられた島コンピュータ７ａ及び該各島コンピュータ７ａを管理すべく賞球遊技場内に設置されたホール（店舗管理）コンピュータ７ｂとを備えた遊技機管理装置７とから構成されてなるものである。
【００２４】
尚、上記賞球遊技機２は、風俗営業法や厳しい賞球遊技台の検定規格等により、一旦検定に合格した賞球遊技機２に改造を施すことは一切許されておらず、よって各賞球遊技機製造メーカーが製造する賞球遊技機２から得られる電気信号の型式や形態等も一切変更することが出来ないものである。
【００２５】
上記各賞球遊技機２には、遊技情報に関する各種賞球実績等が賞球基板３を介して電圧レベルの出力とリレーによる電気信号のＯＮ／ＯＦＦ（接点出力）として出力された各種賞球実績等の電気信号を島コンピュータ７ａやホールコンピュータ７ｂ等のコンピュータに読み込み出来る信号に処理する中継基板４が設けられ、しかも各中継基板４と島コンピュータ７ａとは、信号伝達手段としての通信路８を介して個々に接続されている。
【００２６】
尚、上記電気信号としては、例えば、賞球遊技機２内のリレーが、遊技球が始動口（スタート）に入った時や図柄（デジタル）が止まった時に、２５０ミリ秒、ＯＮとなる信号型式のものやリレーが、状態が変遷するまで、即ち、大当たりの開始から終了まで、又確変の開始から終了までＯＮになる等の各種の電気信号出力型式がある。
【００２７】
よって、各賞球遊技機２の中継基板４から得られた各種賞球実績等の信号は個々の通信路８を介して前記島コンピュータ７ａの夫々に順次送り込まれることとなる。
【００２８】
尚、上記各中継基板４には信号読取処理装置５が設けられ、且つ該信号読取処理装置５は、中継基板４から得ることが出来る賞球遊技機２の各種賞球実績等の遊技情報に関する電気信号の一部又は全部を読み取り可能な構成からなり、しかも賞球遊技機２に大当たりが生じた際、その大当たりに至るまでの間に打玉の連続発射が所定時間中断された情報データの一部又は全部を時系列管理可能な機能を有してなり、しかも各信号読取処理装置５は、大当たりに至るまでの間に打玉の連続発射が所定時間中断された情報データの一部又は全部を通信路８を介して時系列で比較する機能を有してなるものである。
【００２９】
更に、前記各信号読取処理装置５は、賞球遊技機２毎に配設されたトップランプ（図示せず）内に設けられている。
【００３０】
上記の如くトップランプ内に信号読取処理装置５を設けることにより、各ホールにおいて、既設された賞球遊技機２へ極めて簡単且つ迅速に信号読取処理装置５を取り付けることが出来るという施工上の利点があるが、島６内に設置スペースが存在すれば必ずしもトップランプ内に信号読取処理装置５を設けること自体は必須の要件ではないが、後述すべく電磁波の受信手段又は発信手段の少なくとも何れか一方を信号読取処理装置５が有した場合には、見通しの良い通信ゾーンを確保出来る好ましい設置箇所になる利点がある。
【００３１】
更に、上記信号読取処理装置５は、例えば、賞球遊技機２内のリレーが、遊技球が始動口に入った時や図柄が止まった時に、２５０ミリ秒、ＯＮとなる電気信号を読み取ってデジタルのスタート回数を数えたり、始動口に入った数を数えたり、又リレーが、状態が変遷するまで、即ち、各メーカーの賞球遊技機２毎に蓄積された賞球実績等の信号から大当たりの開始から終了まで、又確変の開始から終了までＯＮになる信号を読み取って大当たりの回数、確変の回数を数えるといった処理を行いつつ一緒に、前記大当たりに至るまでの間に打玉の連続発射が所定時間中断された情報データの一部又は全部も夫々時系列で比較することが出来る型式の各情報データを出力する機能を有してなるものである。
【００３２】
更に、詳しく説明すると、先ず、ホールにおいて行われる不正は、その殆どが、閉店後等において、不法侵入した者や店員との謀略により賞球遊技機２自体に改造（殆どが不正ＲＯＭの入れ替え）を施したりする準備段階と、改造を施した賞球遊技機を営業中に通常とは違った打ち方（遊技方法）を行うことにより不正に出玉を得る実行段階とがある。
【００３３】
尚、不正ＲＯＭの入れ替えにおいては、殆どの場合が、図柄表示ドラムに所定の図柄が出てから打玉の連続発射を所定時間中断するといった打ち方を所定のパターンに基づいて行うことにより不正に出玉を得ることが出来るものである。
【００３４】
よって、上記信号読取処理装置５は、賞球遊技機２の中継基板４から得られる各種遊技情報（遊技方法や賞球実績のパターン等）に関する信号の一部又は全部をリアルタイム又は一定時間毎に蓄積し、大当たりが発生した時点で、大当たりに至るまでの間に打玉の連続発射が所定時間中断された情報データの一部又は全部を時系列管理し、予め信号読取処理装置５に各種の不正パターンとしての情報データが認識記憶されている場合には、双方の情報データを時系列で照合比較して、夫々の情報データが同一又は類似と思われる場合には、警報ランプやスピーカー等の告知手段（図示せず）を動作させるための動作信号を出力する機能を備えた構成にしてなるものである。
【００３５】
更に、信号読取処理装置５は、大当たりに至るまでの間に打玉の連続発射が所定時間中断された情報データに対して同一又は類似と思われる図柄パターンに関する情報データを有する賞球遊技機２が通信路８を介して多数の賞球遊技機２の中に少なくとも２基以上存在すると判断した場合に、その情報データを通信路８を介して全ての信号読取処理装置５に出力することが出来る機能を有してなる。
【００３６】
更に、同一又は類似と思われる情報データを通信路８を介して受けた全ての信号読取処理装置５は、その情報データを不正パターンとして認識記憶し、以後大当たりが生じる毎にその大当たりに至るまでの情報データと不正パターンとして認識記憶された情報データとを比較する機能を有してなるものである。
【００３７】
更に、上記各信号読取処理装置５には、例えば、電磁波の一つである赤外線を、対向（真正面に限定されない）する賞球遊技機２に向けて発信可能な発信装置５ａと対向（真正面に限定されない）する賞球遊技機２の信号読取処理装置５から発せられた赤外線を受信可能な受信装置５ｂが夫々設けられている。
【００３８】
尚、上記信号読取処理装置５は、発信装置５ａと受信装置５ｂとの間で通信される赤外線の受信時間及び否受信時間の夫々を時系列で記憶する機能を有している。
【００３９】
よって、係る各信号読取処理装置５によれば、予め設定された所定時間内や所定日数内等における賞球遊技機２の賞球実績等を全て共通の処理信号又は処理データの少なくとも何れか一方で個別管理することが出来るだけでなく、赤外線の受信時間や否受信時間をも個々の賞球遊技機２毎に個別管理することが出来るものである。
【００４０】
本発明の一実施形態における信号読取処理装置は以上の構成からなり、次に係る賞球遊技機の集中管理装置を実際に使用する場合について説明する。
【００４１】
先ず、上記構成からなる集中管理装置１によれば、島６に並設された各賞球遊技機２には、例えば、賞球遊技機２内のリレーが、遊技球が始動口に入った時や図柄が止まった時に、２５０ミリ秒、ＯＮとなる電気信号を読み取ってデジタルのスタート回数や始動口に入った数を数えたり、又リレーが、状態が変遷するまで、即ち、各メーカーの賞球遊技機２毎に中継基板４に蓄積された賞球実績等の信号から、該中継基板４に設けられた信号読取処理装置５が大当たりの開始から終了まで、又確変の開始から終了までＯＮになる電気信号を読み取って大当たりの回数、確変の回数を数えるといった処理を行いつつ一緒に、前記大当たりに至るまでの間に打玉の連続発射が所定時間中断された情報データの一部又は全部も夫々時系列で管理比較することが出来る型式の各情報データを出力する機能を有してなると共に各情報データの一部又は全部を通信路８を介して個々の信号読取処理装置５と比較検討する構成にしてなるものである。
【００４２】
よって、個々の賞球遊技機２に設けられた信号読取処理装置５の夫々が、各メーカーの賞球遊技機２毎の大当たりの開始から終了までを時系列で比較できる型式の情報データ又は各メーカーの賞球遊技機２毎の確変の開始から終了までを時系列で比較できる型式の情報データの少なくとも何れか一方を比較すると共に、大当たりに至るまでの間に打玉の連続発射が所定時間中断された情報データの一部又は全部を時系列管理して比較することで、例えば、店舗内に配置された多数の賞球遊技機２の中で、上記各メーカーの賞球遊技機２が夫々比較しうる型式となった大当たりの開始から終了までの情報データ又は／及び確変の開始から終了までの情報データ並びに大当たりに至るまでの間に打玉の連続発射が所定時間中断された情報データを介して同一又は類似と思われる情報データを有する賞球遊技機２が少なくとも２基以上あった場合には、ある図柄が出た後、打玉の連続発射を所定時間中断する等の所定の条件により大当たりを出すべく作動するＲＯＭが前記２基以上の賞球遊技機２に入れ替えられたり、改ざんされた恐れがあると判断出来ることとなる。
【００４３】
従って、多数の賞球遊技機２の中から、大当たりに至るまでの前記情報データが同一又は類似の賞球遊技機２の夫々に不正行為が施されたのではないかという特定を容易且つ瞬時に行うことが出来るという利点がある。
【００４４】
更に、前記情報データの一部又は全部を時系列比較する信号読取処理装置５の夫々が、比較した情報データを同一又は類似と認識した際に、所定の告知手段の動作信号を出力する場合には、係る動作信号を介して警報ランプやスピーカー等の告知手段（図示せず）を動作させることが出来、よって、告知手段を介して不正を働く遊技者に遊技を止めさせるためのプレッシャーを与えたり、従業員に不正を働いているであろう遊技者を見張らせたり、警告を与える等の行動指示を促すことが出来るという利点がある。
【００４５】
更に、信号読取処理装置５が、大当たりに至るまでの間に打玉の連続発射が所定時間中断された情報データに対して同一又は類似と思われる情報データを有する賞球遊技機２が少なくとも２基以上存在すると判断した場合に、その情報データを信号伝達手段又は通信手段を介して全ての信号読取処理装置５に出力し、且つ該全ての信号読取処理装置５はその情報データを不正パターンとして認識記憶し、以後大当たりが生じる毎にその大当たりに至るまでの情報データと不正パターンとして認識記憶された情報データとを比較する構成にしてなる場合には、信号伝達手段又は通信手段を介して１店舗内に存在する全ての賞球遊技機２のみならず、信号伝達手段又は通信手段を介して一定地域、日本全国及び世界中に存在する信号読取処理装置５にＲＯＭの入れ替えや改ざんが施されて大当たりに至るまでの不正パターンとしての情報データをリアルタイムに認識記憶させて不正の波及を初期の段階でくい止めることが出来るという利点がある。
【００４６】
又、前記信号読取処理装置５の夫々が、比較した情報データを同一又は類似と認識した際に、所定の告知手段の動作信号を出力する構成にしてなる場合には、前記同様に告知手段を介して不正を働く遊技者に遊技を止めさせるためのプレッシャーを与えたり、従業員に不正を働いているであろう遊技者を見張らせたり、警告を与える等の行動指示を促すことが出来るという利点がある。
【００４７】
更に、本発明の信号読取処理装置５が、赤外線の発信装置５ａと受信装置５ｂの夫々を有してなる場合には、例えば対峙する各島６間において、対向状態で並設された各賞球遊技機２間で常時又は一定間隔で所定電磁波の発信・受信を、例えば、閉店時から開店時まで行うことにより、ホールへの不正侵入者等が各島６間を歩き回ったルートや特定の賞球遊技機２の前で何分間立ち止まったかという事実を電磁波を遮った箇所や遮断した時間から容易に知ることが可能となる。
【００４８】
従って、不正行為が行われた可能性のある賞球遊技機２を電気信号の出力前、即ちホールの開店前に容易に特定することが可能となり、しいてはホールに生じる損害を未然に防止することが出来るという利点がある。
【００４９】
更に、信号読取処理装置５の夫々が島コンピュータ７ａ又はホールコンピュータ７ｂの少なくとも何れか一方を介して双方向通信可能な構成にしてなる場合には、例えば、通常、数百台単位でホールに設置された各賞球遊技機２の信号読取処理装置５間の双方向通信を、一般的なホールに備えつけられた既存の設備を利用して安価且つ円滑ならしめることが出来る利点がある。
【００５０】
よって、各信号読取処理装置５の通信機能をも簡略化することが可能となり、しいては全体の設備コストを必要最少限におさえることが出来るという利点がある。
【００５１】
更に、信号読取処理装置５が、賞球遊技機２に外付けされる場合には、検定に合格した各製造メーカー毎の賞球遊技機２に何ら特別な改造等を一切施すことなく、信号読取処理装置５を各賞球遊技機２に対して後付けすることが出来る。
【００５２】
よって、現在、市場に供給されている各メーカーの賞球遊技機２の全てに信号読取処理装置５を簡単に後付け装着することが可能なだけでなく、賞球遊技機２で得られる遊技情報に関する各種の電気信号の型式や形態等が各賞球遊技機製造メーカー毎に異なっている場合でも、各賞球遊技機２から得られる電気信号の型式や形態等を一切変更することなく、信号読取処理装置５にて全ての賞球遊技機２が処理可能な共通の情報データに変換して双方向通信することも可能になるという利点がある。
【００５３】
更に、所定電磁波の受信手段又は発信手段の少なくとも何れか一方が信号読取処理装置５に設けられる場合には、賞球遊技機２に何ら特別な改造等を一切施すことなく、各賞球遊技機２に後付けされた信号読取処理装置５に受信手段又は発信手段の少なくとも何れか一方を簡単且つ安価に具備させることが出来るという利点がある。
【００５４】
更に、上記構成からなる賞球遊技機２の集中管理装置１によれば、不正行為が行われたであろう賞球遊技機２の夫々を遊技機管理装置７側でも確実に把握することが可能となり、しいては、ホールから離れた場所にいても不正行為が行われた賞球遊技機２を把握することが出来る利点がある。
【００５５】
更に、各賞球遊技機２が信号読取処理装置５を介して遊技機管理装置７にて管理されてなることから、例え、メーカーの異なる賞球遊技機２を増台したり、混在させた場合であっても、各賞球遊技機２の中継基板４から得られる電気信号の型式や形態に係わらず、又賞球遊技機２に何ら改造等を一切施すことなく合法的に全て共通の情報データに信号読取処理装置５を介して変換して処理することも可能となり、しいては既設の遊技機管理装置７で総合管理することが出来るという利点がある。
【００５６】
又、上記の如く信号読取処理装置５が、中継基板４から得られる電気信号の型式や形態に係わらず、全て共通の情報データに変換処理する場合には、例え、賞球遊技機製造メーカー毎に異なる型式や形態等の電気信号を出力する賞球遊技機２が島６内に混在している場合であっても多数の賞球遊技機２の中から同一又は類似と認識される情報データを有した賞球遊技機２を容易且つ瞬時に特定することが出来るという利点がある。
【００５７】
更に、上記構成からなる信号読取処理装置５には、所定波長の赤外線を発受可能な発信装置５ａ及び受信装置５ｂが設けられ、しかも係る信号読取処理装置５は赤外線の受信時間や否受信時間をも個別管理可能な機能を有してなるものである。
【００５８】
よって、例えば、対峙する各島６間において、対向する各賞球遊技機２の中で一方の島６に設けられた一台の賞球遊技機２に対して、他方の島６に設けられ、且つ真正面に位置する賞球遊技機２を除く両側の賞球遊技機２の夫々の発信装置５ａから、前記一方の島６の一台の賞球遊技機２の信号読取処理装置５の受信装置５ｂに所定波長の赤外線を発すると共に該一方の島６の賞球遊技機２の発信装置５ａから他方の島６の夫々の賞球遊技機２の受信装置５ｂの夫々に所定波長の赤外線を発することで各島６間に広範囲の防犯ゾーン（デルタ状）を出現させることが出来る。（実際には対峙する各島６にて対向する賞球遊技機２を全て上記の様に使用して各島６間、即ち通路全体に多数の防犯ゾーンを連設することになる）
【００５９】
従って、対峙する各島６間において、対向する各賞球遊技機２の全てが信号読取処理装置５を介して上記同様に島６間に広範囲のデルタ状の防犯ゾーンを連設状態で出現（図示せず）させた場合には、例えば赤外線の発受信を常時又は一定間隔で、例えば、閉店時から開店時まで行うことにより、ホールへの不正侵入者等が各島６間（通路）を歩き回ったルートや特定の賞球遊技機２の前で何分間立ち止まったかという事実を電磁波を遮った箇所や遮断した時間から容易に知ることが可能となる。
【００６０】
従って、不正行為が行われた可能性のある賞球遊技機２を賞球基板３からの電気信号の出力前、即ちホールの開店前に容易に特定することが可能となり、しいてはホールに生じる損害を未然に防止することが出来るという利点がある。
【００６１】
尚、上記実施形態において、各信号読取処理装置５は中継基板４に設けられ、しかも中継基板４に接続された通信路８及び島コンピュータ７ａの夫々を介して双方向通信する構成にしてなるが、必ずしもこれに限るものではない。
【００６２】
図２に示すように、例えば、一方の島６のように、各賞球遊技機２の中継基板４の夫々に信号読取処理装置５を接続すると共に各信号読取処理装置５をシリアル接続してもよい。
【００６３】
よって、上記の如く信号読取処理装置５をシリアル接続した場合において、例えば、信号読取処理装置５が、賞球遊技機２から中継基板４にメーカー毎に異なる型式で賞球遊技機２から入力される電圧レベル等の賞球実績等のＯＮ／ＯＦＦの電気信号の一部又は全部を読み取り、同一の賞球実績等のＯＮ／ＯＦＦの電気信号を出力可能な場合には、ホールに備えつけられた既存の周辺機器との接続を今まで通りに確保することが出来ると共に、係る周辺機器を今まで通りに使用することが出来るという利点がある。
【００６４】
更に、同図において、例えば、他方の島６のように、各賞球遊技機２の信号読取処理装置５を接続した中継基板４をシリアル接続してもよい。
【００６５】
よって、上記前者及び後者何れの場合であっても、各中継基板４の夫々から島コンピュータ７ａに接続された通信路８を必要最少限に整理することが出来るという利点がある。
【００６６】
更に、図３に示すように、例えば、一方の島６のように、各賞球遊技機２の中継基板４の夫々をシリアル接続すると共に、該各中継基板４に接続される信号読取処理装置５の夫々をシリアル接続してもよく、又他方の島６のように各信号読取処理装置５のみがシリアル接続され、且つ中継基板４の夫々が通信路８を介して個々に島コンピュータ７ａに接続されていてもよい。
【００６７】
尚、上記実施形態において、信号読取処理装置５には、所定波長の赤外線を発受可能な発信装置５ａ及び受信装置５ｂが設けられているが、例えば、図４にしめすように、各信号読取処理装置５に受信装置５ｂのみが設けられた場合であってもよい。
【００６８】
よって、信号読取処理装置５に受信装置５ｂのみが具備された場合において、各島６間、即ち通路や天井等に受信装置５ｂが受信可能な所定波長の赤外線を放射状に発する通信装置９を１基又は一定の間隔で複数設けることにより、対峙する各島６間に広範囲の防犯ゾーンを出現させることが可能となる。
【００６９】
従って、上記構成であっても赤外線を発する通信装置９と信号読取処理装置５の受信装置５ｂとの間で所定波長の赤外線の発受信を常時又は一定間隔で、例えば、閉店時から開店時まで行うことにより、ホールへの不正侵入者等が各島６間（通路）を歩き回ったルートや特定の賞球遊技機２の前で何分間立ち止まったかという事実を電磁波を遮った箇所や遮断した時間から容易に知ることが可能になるという利点がある。
【００７０】
更に、図５に示すように、例えば、各信号読取処理装置５の夫々が「イーサネット」（登録商標）チップを内蔵（図示せず）すると共に、ネットワークハブ１０により相互に接続される構成であってもよい。
【００７１】
よって、この場合には、各信号読取処理装置５の夫々が島コンピュータ７ａを介することなく相互通信を行うことが可能となり、しいては、遊技機管理装置７のみならず各種の通信手段を用いて図柄パターンに関する情報データを管理することが出来るという利点がある。
【００７２】
尚、上記の如くネットワークハブ１０を用いる場合には、遊技機管理装置７にファイアウォールを設けなければならないのは言うまでもない。
【００７３】
上記実施形態において、信号読取処理装置５は島６に設けられた各賞球遊技機２の中継基板４に夫々設けられてなるが、必ずしも一つの中継基板４に一つの信号読取処理装置５を具備される必要はなく、例えば、信号読取処理装置５が通信路８に直接設けられていてもよい。
【００７４】
又、信号伝達手段としての通信路８も必ず有線に限るものではなく、光、赤外線、ＡＭ波、ＦＭ波等の各種電磁波を用いた無線式の通信手段を用いてもよい。
【００７５】
更に、上記各実施形態において、遊技機管理装置７は島６毎に設けられた島コンピュータ７ａとホールコンピュータ７ｂとから構成されているが、必ずしもこれに限定されるものではなく、例えば、遊技機管理装置７がホールコンピュータ７ｂのみで構成され、且つ各島６に設けられた個々の賞球遊技機２から送られて来た各種の電気信号を島コンピュータ７ａを一切介することなく直接ホールコンピュータ７ｂに入力させて管理する構成であってもよい。
【００７６】
更に、上記各実施形態において、賞球遊技機２又は中継基板４の少なくとも何れか一方をシリアル接続させて島コンピュータ７ａへと接続される通信路８を構築してなるが、必ずしもシリアル接続に限定されるものではなく賞球遊技機２又は中継基板４がパラレルで島コンピュータ７ａに接続されていてもよい。
【００７７】
更に、上記実施形態において、信号読取処理装置５には、所定波長の赤外線を発受可能な発信装置５ａ及び受信装置５ｂが設けられ、しかも係る信号読取処理装置５は赤外線の受信時間や否受信時間をも個別管理可能な機能を有してなるが、必ずしも赤外線に限定されるものではなく、要は人の通過を検知可能な指向性を備えた電磁波であれば具体的な種類は限定されない。
【００７８】
更に、上記実施形態において、各信号読取処理装置５は通信路８を介して遊技機管理装置７に接続されてなることから、不正情報の内容のみならず不正な出玉を得るための図柄パターン等の情報を同ホール内に設置された全ての信号読取処理装置５に送り込んでその不正パターンを認識記憶させて不正防止システムを即時構築することが出来るだけでなく、一般電話回線や各種専用通信回線等の通信手段を介して全国のホールに配設された信号読取処理装置５に即時送り込むことにより全国規模の大規模防犯システムを不正ＲＯＭが使用された極めて初期の段階で構築することが出来るという利点がある。
【００７９】
而して、本発明に係る賞球遊技機も決してパチンコ専用台に限るものではなく、例えば、パチンコ店に設置されたパチスロ台やスロットマシン等であってもよく、賞球遊技機の具体的な構造、種類や機種等も決して限定されないのは言うまでもないが、その他遊技機管理装置を構成する中継基板、信号読取処理装置、島コンピュータ及びホールコンピュータ等の具体的な構造、機能、数量及び配設箇所等も本発明の意図する範囲内で任意に設計変更自在である。
【００８０】
【発明の効果】
叙上のように、本発明は、賞球遊技機からメーカー毎に異なる型式で出力される賞球実績等のＯＮ／ＯＦＦの電気信号が中継基板を介して島コンピュータやホールコンピュータ等のコンピュータに読み込み可能に処理される賞球実績等の信号を蓄積すると共に、該蓄積した賞球遊技機２の賞球実績等の信号を、前記島コンピュータやホールコンピュータ等のコンピュータで処理及び管理できる型式の信号に処理して島コンピュータやホールコンピュータ等のコンピュータに出力する信号読取処理装置において、該信号読取処理装置が、各メーカーの賞球遊技機毎の大当たりの開始から終了までを時系列で比較できる型式の情報データ又は各メーカーの賞球遊技機毎の確変の開始から終了までを時系列で比較できる型式の情報データの少なくとも何れか一方を、前記島コンピュータやホールコンピュータ等のコンピュータを介して日々の業務実績データ処理等が行なわれる前に、該島コンピュータやホールコンピュータ等のコンピュータに出力可能であり、更に信号読取処理装置は、賞球遊技機で得られる遊技情報に関する電気信号の一部又は全部を読み取り可能で、且つ賞球遊技機に大当たりが生じた際、その大当たりに至るまでの間に打玉の連続発射が所定時間中断された情報データの一部又は全部を時系列管理する機能を備え、且つ信号読取処理装置の夫々が、大当たりに至るまでの間に打玉の連続発射が所定時間中断された情報データの一部又は全部を信号伝達手段又は通信手段を介して時系列で管理比較する機能も有してなることから、前記賞球遊技機からメーカー毎に異なる型式で出力される賞球実績等のＯＮ／ＯＦＦの電気信号を各メーカーの賞球遊技機毎の大当たりの開始から終了までを時系列で比較できる型式の情報データ又は各メーカーの賞球遊技機毎の確変の開始から終了までを時系列で比較できる型式の情報データの少なくとも何れか一方と、前記大当たりに至るまでの間に打玉の連続発射が所定時間中断された情報データの一部又は全部を夫々時系列で比較することが可能となる。
【００８１】
よって、各メーカーの賞球遊技機毎の大当たりの開始から終了までを時系列で比較できる型式の情報データ又は各メーカーの賞球遊技機毎の確変の開始から終了までを時系列で比較できる型式の情報データの少なくとも何れか一方を比較すると共に、大当たりに至るまでの間に打玉の連続発射が所定時間中断された情報データの一部又は全部を時系列管理して比較することで、例えば、店舗内に配置された多数の賞球遊技機の中で、上記各メーカーの賞球遊技機が夫々比較しうる型式となった大当たりの開始から終了までの情報データ又は／及び確変の開始から終了までの情報データ並びに大当たりに至るまでの間に打玉の連続発射が所定時間中断された情報データを介して同一又は類似と思われる情報データを有する賞球遊技機２が少なくとも２基以上あった場合には、ある図柄が出た後、打玉の連続発射を所定時間中断する等の所定の条件により大当たりを出すべく作動するＲＯＭが前記２基以上の賞球遊技機２に入れ替えられたり、改ざんされた恐れがあると判断、特定することが可能となる。
【００８３】
従って、多数の賞球遊技機の中で、例え賞球遊技機にＲＯＭ入れ替えや改ざん等の不正行為が行われた場合であっても、賞球遊技機に一切改造を施すことなく不正行為が行われた賞球遊技機を多数の賞球遊技機の中から即時特定して犯罪を未然に防止することが出来るという優れた信号読取処理装置を提供することが出来るという格別な効果を有するに至った。
【図面の簡単な説明】
【図１】本発明における信号読取処理装置を用いた賞球遊技機の集中管理装置の一実施形態を示す一部省略全体構成図。
【図２】本発明の信号読取処理装置を用いた賞球遊技機の集中管理装置の他の実施形態を示す一部省略全体構成図。
【図３】本発明の信号読取処理装置を用いた賞球遊技機の集中管理装置の他の実施形態を示す一部省略全体構成図。
【図４】本発明の信号読取処理装置を用いた賞球遊技機の集中管理装置の他の実施形態を示す一部省略全体構成図。
【図５】本発明の信号読取処理装置を用いた賞球遊技機の集中管理装置の他の実施形態を示す一部省略全体構成図。
【図６】従来の賞球遊技機の集中管理装置を示し、（イ）は賞球遊技機の正面図，（ロ）は賞球遊技機近傍の構成図，（ハ）は賞球遊技機の集中管理装置の一部省略全体構成図。
【符号の説明】
１…賞球遊技機の集中管理装置
２…賞球遊技機
４…中継基板
５…信号読取処理装置
６…島
７…遊技機管理装置
７ａ…島コンピュータ
７ｂ…ホールコンピュータ
８…通信路
【図１】
0004742335.tif 000002
【図２】
0004742335.tif 000003
【図３】
0004742335.tif 000004
【図４】
0004742335.tif 000005
【図５】
0004742335.tif 000006
【図６】
0004742335.tif 000007